【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
頭部ポジショニング補助具であって、
帽体部材であって、リリース可能なように閉塞可能である(releasably closable）前側オープニング(front opening)と、当該帽体部材のサイズを調節することが可能な少なくとも１つの調節部材とを有するものと、
各々、長手方向に延びるとともに耐圧縮性を有する２本のポジショニング部材であって、側方に互いに隔たるとともに、前記帽体部材の後面に装着されるものと
を含み、
前記２本のポジショニング部材は、乳児が仰臥位または横臥位にある場合に、前記乳児の頭部を前記乳児の背骨に対して正中位となるように支持する頭部ポジショニング補助具。
【請求項２】
前記帽体部材は、通気性を有するとともに最小限の断熱効果を有する材料によって製造される請求項１に記載の頭部ポジショニング補助具。
【請求項３】
前記前側オープニングは、スリットとして形成される請求項１に記載の頭部ポジショニング補助具。
【請求項４】
前記前側オープニングは、フラップ(flap、片ひら板）を有するように形成される請求項１に記載の頭部ポジショニング補助具。
【請求項５】
前記前側オープニングは、静脈注射用チューブまたは他の医療器具であって前記乳児の頭皮に装着されるものの設置、撤去または監視のために前記頭皮へのアクセスを提供するように構成される請求項１に記載の頭部ポジショニング補助具。
【請求項６】
前記前側オープニングの閉塞状態において、前記静脈注射用チューブまたは他の医療器具が、前記乳児の顔面を避けるように固定される請求項５に記載の頭部ポジショニング補助具。
【請求項７】
前記調節部材は、弾性材料によって製造される請求項１に記載の頭部ポジショニング補助具。
【請求項８】
前記調節部材は、固定端部と自由端部とを有する請求項１に記載の頭部ポジショニング補助具。
【請求項９】
前記調節部材の前記自由端部を引っ張ると、前記帽体部材の有効周長が減少する請求項８に記載の頭部ポジショニング補助具。
【請求項１０】
前記調節部材の前記自由端部をリリースすると、前記帽体部材の有効周長が増加する請求項８に記載の頭部ポジショニング補助具。
【請求項１１】
前記調節部材は、医療器具のチューブまたはケーブルを前記帽体部材に固定するように構成される請求項１に記載の頭部ポジショニング補助具。
【請求項１２】
前記チューブまたはケーブルは、前記調節部材と前記帽体部材との間に捕捉される請求項１１に記載の頭部ポジショニング補助具。
【請求項１３】
前記チューブまたはケーブルは、前記調節部材のうちの取付部の内部に捕捉される請求項１１に記載の頭部ポジショニング補助具。
【請求項１４】
さらに、
医療器具を前記乳児の顔面を避けるように取り付ける１または複数のタイダウン(tie-down、拘束）式ループ(loop、輪、リング）を含む請求項１に記載の頭部ポジショニング補助具。
【請求項１５】
さらに、
両側にそれぞれ配置される一対のループ(loop、輪、リング）を含み、それらループは、乳児用サングラス(bilishade、乳児の両眼を保護するために両眼にそれぞれ装着される一対の遮光部を有する遮光器具)との連結を行うように構成される複数のクロージャ(closure、閉塞具、閉じ具、閉じ合せ具）を有する請求項１に記載の頭部ポジショニング補助具。
【請求項１６】
さらに、
前記乳児の顔面の皮膚を保護するように構成される頬部フラップ(flap、片ひら板）を含む請求項１に記載の頭部ポジショニング補助具。
【請求項１７】
さらに、
前記帽体部材に、前記複数のポジショニング部材の間において着脱可能に装着されるように構成される支持部材を含み、その支持部材は、乳児の首部を支持する請求項１に記載の頭部ポジショニング補助具。
【請求項１８】
前記支持部材は、凹部を有し、かつ、その凹部上に前記乳児の首部が支持されるように構成される請求項１９に記載の頭部ポジショニング補助具。
【請求項１９】
頭部ポジショニング補助具であって、
乳児が仰臥位または横臥位にある場合に、前記乳児の頭部を前記乳児の背骨に対して正中位となるように位置決めすることが可能な頭部ポジショニング・アシスト部と、
前記乳児の頭部を正中位となるように維持するために、前記ポジショニング部材に係合させられる固定部材と
を含む頭部ポジショニング補助具。
【請求項２０】
前記固定部材は、前記頭部ポジショニング・アシスト部に恒久的にまたはリリース可能に装着される請求項１９に記載の頭部ポジショニング補助具。
【請求項２１】
前記固定部材は、前記乳児を支持する表面に恒久的にまたはリリース可能に装着される請求項１９に記載の頭部ポジショニング補助具。
【手続補正２】
【補正対象書類名】明細書
【補正対象項目名】０１３３
【補正方法】変更
【補正の内容】
【０１３３】
上述の説明書、いくつかの例およびデータは、後続する特許請求の範囲に記載される本発明の例示的ないくつかの実施形態の構成および用法についての完全な説明を提供する。以上、後続する特許請求の範囲に記載される本発明の種々の実施形態を、ある程度の具体性を有するか、または、少なくとも一つの個別の実施形態を参照しながら、説明してきたが、当業者であれば、本発明の主旨からも範囲からも逸脱することなく、前述の開示された実施形態に対して多くの変更を加えることが可能である。したがって、他の実施形態を対象とすることが可能である。上述の説明に含まれるとともに本明細書に添付された添付図面に図示されたすべての事項は、具体的な複数の実施形態のみについての説明であると解釈すべきであって、本発明を限定するものではないことを意図する。細部または構造についての変更を、後続する特許請求の範囲において定義される本発明の基本的な要素から逸脱することなく行うことが可能である。
本発明によれば、次のいくつかの態様が得られる。
（態様１）
頭部ポジショニング補助具であって、
帽体部材であって、リリース可能なように閉塞可能である(releasably closable）前側オープニング(front opening)と、当該帽体部材のサイズを調節することが可能な少なくとも１つの調節部材とを有するものと、
各々、長手方向に延びるとともに耐圧縮性を有する２本のポジショニング部材であって、側方に互いに隔たるとともに、前記帽体部材の後面に装着されるものと
を含み、
前記２本のポジショニング部材は、乳児が仰臥位または横臥位にある場合に、前記乳児の頭部を前記乳児の背骨に対して正中位となるように支持する頭部ポジショニング補助具。
（態様２）
前記帽体部材は、通気性を有するとともに最小限の断熱効果を有する材料によって製造される態様１に記載の頭部ポジショニング補助具。
（態様３）
前記前側オープニングは、スリットとして形成される態様１に記載の頭部ポジショニング補助具。
（態様４）
前記前側オープニングは、フラップ(flap、片ひら板）を有するように形成される態様１に記載の頭部ポジショニング補助具。
（態様５）
前記前側オープニングは、静脈注射用チューブまたは他の医療器具であって前記乳児の頭皮に装着されるものの設置、撤去または監視のために前記頭皮へのアクセスを提供するように構成される態様１に記載の頭部ポジショニング補助具。
（態様６）
前記前側オープニングの閉塞状態において、前記静脈注射用チューブまたは他の医療器具が、前記乳児の顔面を避けるように固定される態様５に記載の頭部ポジショニング補助具。
（態様７）
前記調節部材は、弾性材料によって製造される態様１に記載の頭部ポジショニング補助具。
（態様８）
前記調節部材は、固定端部と自由端部とを有する態様１に記載の頭部ポジショニング補助具。
（態様９）
前記調節部材の前記自由端部を引っ張ると、前記帽体部材の有効周長が減少する態様８に記載の頭部ポジショニング補助具。
（態様１０）
前記調節部材の前記自由端部をリリースすると、前記帽体部材の有効周長が増加する態様８に記載の頭部ポジショニング補助具。
（態様１１）
前記調節部材は、医療器具のチューブまたはケーブルを前記帽体部材に固定するように構成される態様１に記載の頭部ポジショニング補助具。
（態様１２）
前記チューブまたはケーブルは、前記調節部材と前記帽体部材との間に捕捉される態様１１に記載の頭部ポジショニング補助具。
（態様１３）
前記チューブまたはケーブルは、前記調節部材のうちの取付部の内部に捕捉される態様１１に記載の頭部ポジショニング補助具。
（態様１４）
さらに、
医療器具を前記乳児の顔面を避けるように取り付ける１または複数のタイダウン(tie-down、拘束）式ループ(loop、輪、リング）を含む態様１に記載の頭部ポジショニング補助具。
（態様１５）
さらに、
両側にそれぞれ配置される一対のループ(loop、輪、リング）を含み、それらループは、乳児用サングラス(bilishade、乳児の両眼を保護するために両眼にそれぞれ装着される一対の遮光部を有する遮光器具)との連結を行うように構成される複数のクロージャ(closure、閉塞具、閉じ具、閉じ合せ具）を有する態様１に記載の頭部ポジショニング補助具。
（態様１６）
さらに、
前記乳児の顔面の皮膚を保護するように構成される頬部フラップ(flap、片ひら板）を含む態様１に記載の頭部ポジショニング補助具。
（態様１７）
さらに、
前記帽体部材に、前記複数のポジショニング部材の間において着脱可能に装着されるように構成される支持部材を含み、その支持部材は、乳児の首部を支持する態様１に記載の頭部ポジショニング補助具。
（態様１８）
前記支持部材は、凹部を有し、かつ、その凹部上に前記乳児の首部が支持されるように構成される態様１９に記載の頭部ポジショニング補助具。
（態様１９）
乳児の頭部を正中位に保持する方法であって、
頭部ポジショニング・アシスト部を前記乳児の頭部に隣接するように設置する工程と、
前記乳児が仰臥位または横臥位にある場合に、前記頭部を前記乳児の背骨に対して正中位となるように維持するために、固定部材を前記頭部ポジショニング・アシスト部に係合させる工程と
を含む方法。
（態様２０）
脳室内出血を回避または予防する方法であって、
頭部ポジショニング・アシスト部を乳児の頭部に隣接するように設置する工程と、
前記乳児が仰臥位または横臥位にある場合に、前記頭部を前記乳児の背骨に対して正中位となるように維持するために、固定部材を前記頭部ポジショニング・アシスト部に係合させる工程と、
治療期間中、前記頭部を正中位となるように維持する工程と
を含む方法。
（態様２１）
長頭症を治療または予防する方法であって、
各々、長手方向に延びるとともに耐圧縮性を有する２本のポジショニング部材であって、側方に互いに隔たるものを、乳児の頭部に隣接するように設置する工程と、
前記乳児が仰臥位または横臥位にある場合に、前記頭部を前記２本のポジショニング部材に対して動かない位置に維持するために、固定部材を前記２本のポジショニング部材に係合させる工程と、
治療期間中に、前記頭部の平坦化を防止するために、前記頭部を前記２本のポジショニング部材の間に維持する工程と
を含む方法。
（態様２２）
頭部ポジショニング補助具であって、
乳児が仰臥位または横臥位にある場合に、前記乳児の頭部を前記乳児の背骨に対して正中位となるように位置決めすることが可能な頭部ポジショニング・アシスト部と、
前記乳児の頭部を正中位となるように維持するために、前記ポジショニング部材に係合させられる固定部材と
を含む頭部ポジショニング補助具。
（態様２３）
前記固定部材は、前記頭部ポジショニング・アシスト部に恒久的にまたはリリース可能に装着される態様２２に記載の頭部ポジショニング補助具。
（態様２４）
前記固定部材は、前記乳児を支持する表面に恒久的にまたはリリース可能に装着される態様２２に記載の頭部ポジショニング補助具。